(57)【要約】  本体を大型化することなくクロスフローファンを大型化でき、しかも送風性能の低下も抑えることができる空気調和機を実現する。吹出口（３）の背面側端部側に回動可能に取り付けられた風向板を備え、本体の高さ寸法をＨ、クロスフローファン（８）のファン外径をＦとすると、Ｈ／Ｆが２．４５未満であり、スタビライザ（９）における舌部（９ａ）と該舌部（９ａ）よりも下側の平面部（９ｂ）との境界部分が、縦断面視において吹出口（３）の背面側端部よりも本体（１）の前面側に位置し、風向板（４）における上流側端部から下流側端部の直線距離Ａが、スタビライザ（９）における平面部（９ｂ）の上流側端部から前記吹出口（３）の前面側端部までの直線距離Ｂの８０％以上である。
2019155664.tif 000002
【特許請求の範囲】
【請求項１】
上部に吸込口を有し下部に吹出口を有する本体と、前記吸込口と前記吹出口とを連通する風路と、前記風路に配された熱交換器およびクロスフローファンと、前記クロスフローファンの周囲に配されたスタビライザおよびリアガイダとを備える空気調和機において、
前記吹出口の端部側であって前記本体の背面側の端部側に回動可能に取り付けられた、閉状態で前記吹出口を塞ぎ、開状態で風の向きを変える風向板を備え、
前記本体の高さ寸法をＨ、前記クロスフローファンのファン外径をＦとすると、Ｈ／Ｆが２．４５未満であり、
前記スタビライザにおける舌部と該舌部よりも下側の平面部との境界部分が、縦断面視において前記吹出口の前記背面側の端部よりも前記本体の前面側に位置し、
前記風向板における、風の流れ方向の上流側端部から下流側端部の直線距離Ａが、前記スタビライザにおける前記平面部の上流側端部から前記吹出口の前記前面側の端部までの直線距離Ｂの８０％以上であることを特徴とする空気調和機。
【請求項２】
前記風向板における直線距離Ａが前記直線距離Ｂの９０％以上であることを特徴とする請求項１に記載の空気調和機。
【請求項３】
前記風向板における直線距離Ａが前記クロスフローファンのファン外径Ｆよりも大きいことを特徴とする請求項１又は２に記載の空気調和機。
【請求項４】
前記本体の高さ寸法Ｈが２５０ｍｍ以下であり、
前記クロスフローファンのファン外径Ｆが１０４ｍｍ以上であることを特徴とする請求項１、２又は３に記載の空気調和機。
【発明の詳細な説明】
【技術分野】
【０００１】
本発明は、空気調和機に関する。
【背景技術】
【０００２】
空気調和機（室内機）は、本体内に吸込口と吹出口とを連通する風路（空気の流路）を形成し、この風路内にクロスフローファン（横流ファン、貫流ファン）を回転可能に備えている。空気調和機は、風路内においてクロスフローファンを回転させることにより、室内の空気を吸込口から吸い込み吹出口から吹き出すように送風する。【０００３】
このような空気調和機においては、省エネ化のために、関係する各要素の効率化などが進んでいる。そして、近年では、クロスフローファンの径寸法を大きくして風量を上げることで省エネ化することも検討されている。【０００４】
クロスフローファンを大型化するにあたり、クロスフローファンの径寸法だけを無造作に大きくすることはできず、クロスフローファンと共に送風機を構成する他の部材も大きくする必要がある。つまり、クロスフローファンで送風するには、スタビライザやリアガイダなどのファンの周囲を囲って風路を構成するケーシング部材が必要であり、これらの部材の位置関係や形状にて送風効率や信頼性といった性能が左右される。そのため、クロスフローファンを大型化するには、ケーシング部材についても大型化する必要がある。【０００５】
しかしながら、空気調和機の大きさ（製品サイズ）は、設置スペースの関係等から制限されており、現行の製品サイズを維持することが市場ニーズとしてある。そのため、ケーシング部材を思うように大型化することはできず、クロスフローファンの大型化が制限されている。【０００６】
また、近年、窓を大きく取りたいといった要請が強く、窓上のスペースは狭くなってきている。そのため、このような狭い窓上のスペースにも設置できるように、空気調和機の高さ方向の寸法が圧縮される方向にある。【０００７】
例えば、特許文献１には、クロスフローファンの径寸法を大きくしたことによる送風性能の低下を抑制し得る空気調和機が開示されている。これによれば、吹出口に配された複数の風向板のうち、空気調和機が設置される壁面側に位置する風向板の回転軸をクロスフローファンの回転軸よりも壁面側に設けると共に、この風向板が下方に回動した状態でこの風向板の壁面側の端部が吹出口内に移動するようになっている。
【先行技術文献】
【特許文献】
【０００８】
【特許文献１】日本国公開特許公報「特開２０１６−３８１５１号公報」
【発明の概要】
【発明が解決しようとする課題】
【０００９】
上述したように、近年の空気調和機では、空気調和機の高さ方向の寸法が圧縮される方向にある。空気調和機の上部は、熱交換器を配設するスペースを確保する必要があり寸法を短くすることができないため、空気調和機の下部の寸法が短くなり、クロスフローファンの下方のスペースが制限される。なお、空気調和機の奥行き方向の寸法については、熱交換器の設置のために最低限確保される。【００１０】
クロスフローファンの下方のスペースが制限されると、ケーシング部材の１つであるリアガイダの下部の寸法が短くなり、クロスフローファンから吹出口に至る風路における下側の壁面（下側ディフューザ）の長さが短くなる。下側ディフューザが短くなると、奥行き方向の寸法が最低限確保されることで長さを確保できる上側ディフューザ（クロスフローファンから吹出口に至る風路における上側の壁面）との間で長さの偏りができてしまい、送風性能が低下する。【００１１】
上述した特許文献１の構成では、複数の風向板を用いる構成であるため、各風向板の風路長に寄与する長さが必然的に短い。したがって、このような構成では、リアガイダの下部の寸法が短くなるほどに高さ方向の寸法が圧縮された空気調和機に適合しても、送風性能の低下を思うように抑制することはできない。【００１２】
本発明の一態様は、本体を大型化することなくクロスフローファンを大型化でき、しかも送風性能の低下も抑えることができる空気調和機を実現することを目的とする。
【課題を解決するための手段】
【００１３】
上記の課題を解決するために、本発明の一態様に係る空気調和機は、上部に吸込口を有し下部に吹出口を有する本体と、前記吸込口と前記吹出口とを連通する風路と、前記風路に配された熱交換器およびクロスフローファンと、前記クロスフローファンの周囲に配されたスタビライザおよびリアガイダとを備える空気調和機において前記吹出口の端部側であって前記本体の背面側の端部側に回動可能に取り付けられた、閉状態で前記吹出口を塞ぎ、開状態で風の向きを変える風向板を備え、前記本体の高さ寸法をＨ、前記クロスフローファンのファン外径をＦとすると、Ｈ／Ｆが２．４５未満であり、前記スタビライザにおける舌部と該舌部よりも下側の平面部との境界部分が、縦断面視において前記吹出口の前記背面側の端部よりも前記本体の前面側に位置し、前記風向板における、風の流れ方向の上流側端部から下流側端部の直線距離Ａが、前記スタビライザにおける前記平面部の上流側端部から前記吹出口の前記前面側の端部までの直線距離Ｂの８０％以上であることを特徴とする。
【発明の効果】
【００１４】
本発明の一態様によれば、本体を大型化することなくクロスフローファンを大型化でき、しかも送風性能の低下も抑えることができる空気調和機を実現することができるといった効果を奏する。
【図面の簡単な説明】
【００１５】
【図１】本発明の実施の形態１における空気調和機を示す図であり、（ａ）は正面図、（ｂ）は壁に取り付けられた状態の側面図である。
【図２】実施の形態１の空気調和機の内部構造を示す縦断面図であり、（ａ）は風向板が閉じている状態、（ｂ）は風向板が開いている状態を示す。
【図３】図２の（ａ）に対応する縦断面図であり、実施の形態１の空気調和機の要部の寸法を示す。
【図４】実施の形態１、２における空気調和機の変形例を示す図である。
【発明を実施するための形態】
【００１６】
〔実施の形態１〕
以下、本発明の一実施形態の空気調和機（室内機）について図面に基づいて説明する。なお、室外機については、既存のものを用いることができる。
【００１７】
図１は、本発明の実施の形態１における空気調和機１００を示す図であり、（ａ）は正面図、（ｂ）は壁１１に取り付けられた状態の側面図である。図２は、本実施の形態１の空気調和機１００の内部構造を示す縦断面図であり、（ａ）は風向板４が閉じている状態、（ｂ）は風向板４が開いている状態を示す。
【００１８】
図１の（ａ）（ｂ）に示ように、空気調和機（室内機）１００は、ケースとしての本体１を備えている。空気調和機１００は、背面側を壁１１に向けて設置される。
【００１９】
本体１は、概ね直方体状の筐体である。具体的には、本体１は、部屋の壁１１に対面する背面１ｃと、背面１ｃの反対側である前面１ａと、上面１ｂと、下面１ｄと、左右一対の側面１ｅとを含んでいる。本体１の前面１ａは、樹脂パネル６にて構成されている。
【００２０】
本体１の上面１ｂには、室内の空気を空気調和機１００内に吸い込むための吸込口２が形成されている。空気調和機１００では、吸込口２は、本体１の上面１ｂにのみ設けられている。吸込口２には、吸込口２から吸い込まれる空気中の塵埃など除去するための図示しないフィルタ等が設置されている。
【００２１】
本体１の下面１ｄにおける前部には、調整された空気を室内に吹き出す（供給する）ための吹出口３が形成されている。吹出口３は、背面１ｃ側を低く、前面１ａ側に近づくにつれて上面１ｂに近づくように傾斜して設けられている。以下、吹出口３の背面１ｃ側の端部を、吹出口３の背面側端部、吹出口３の前面１ａ側の端部を吹出口３の前面側端部と称する。
【００２２】
本体１の内部には、吸込口２と吹出口３を連通する風路（空気の流路）が備えられ、風路は後述するスタビライザ９によって、吸込側風路Ｒ１と吹出側風路Ｒ２とに区画される。
【００２３】
吹出口３の背面側端部側には、長尺状をなす１枚構成の風向板４が回動可能に取り付けられている。風向板４は、閉状態で吹出口３を塞ぎ、開状態で上下方向に回動して、吹出口３から吹き出される空気の向きを変える。
【００２４】
図２の（ａ）（ｂ）に示すように、本体１の内部には、熱交換器７、クロスフローファン８、スタビライザ９およびリアガイダ１０などが配置されている。スタビライザ９およびリアガイダ１０が、クロスフローファン８のケーシングを構成する。
【００２５】
熱交換器７は、冷房運転時において、蒸発器として機能して空気を冷却し、暖房運転時において、凝縮器（放熱器）として機能して空気を加温する。熱交換器７およびクロスフローファン８は、前述した風路に配設されており、熱交換器７はクロスフローファン８の上流側に位置している。
【００２６】
熱交換器７は、クロスフローファン８の前部、上部及び後部の上半分を取り囲むような形状をしている。図２の例では、熱交換器７は、クロスフローファン８の前方から上方にわたって傾斜して延びる前側熱交換器７ａと、クロスフローファン８の上方から後部の途中にわたって傾斜して延びる後側熱交換器７ｂとを有する。
【００２７】
クロスフローファン８は、図示しないモータで駆動される羽根車８ａを有する。クロスフローファン８は、風路における吸込側風路Ｒ１と吹出側風路Ｒ２との間に配置され、吸込口２から空気を吸い込み、吹出口３へと空気を吹き出す。
【００２８】
スタビライザ９は、クロスフローファン８の前面１ａ側に配され、クロスフローファン８で作り出される風を安定化させる。スタビライザ９は、熱交換器７の下側に設けられ、本体１内を吸込側風路Ｒ１及び吹出側風路Ｒ２に区画する。吸込側風路Ｒ１は、スタビライザ９の上方に位置し、吹出側風路Ｒ２は、スタビライザ９の下方に位置している。
【００２９】
スタビライザ９は、舌部９ａと、吹出側風路Ｒ２の上側の壁面の一部をなす平面部９ｂとを有する。舌部９ａは、クロスフローファン８と向き合っている。平面部９ｂは、スタビライザ９の下面に形成されており、吹出側風路Ｒ２の上側の壁面である上側ディフューザの一部に相当する。
【００３０】
図２の例では、舌部９ａと平面部９ｂとは円弧状部９ｃを介して接続されている。また、平面部９ｂの下流側（前面１ａ側）には、上に向かって凸をなす湾曲部９ｄが形成され、その下流側が再び平面部９ｅになっている。そして、この下流側の平面部９ｅが、本体１の前面１ａを構成する樹脂パネル６の下端より本体１の内側に向かって壁状に延設された延設部６ａと面一状に突き合されている。
【００３１】
図２の例では、スタビライザ９の平面部９ｂ、湾曲部９ｄおよび平面部９ｅと、延設部６ａとで、吹出側風路Ｒ２の上側の壁面が構成されており、この上側の壁面が上側ディフューザに相当する。
【００３２】
リアガイダ１０は、クロスフローファン８の後方から下方にわたって延びている。リアガイダ１０は、スタビライザ９とで風路を区画するケーシングを構成して、クロスフローファン８から放出された空気を吹出口３に導く。吹出側風路Ｒ２の下側の壁面は、リアガイダ１０の下部の壁面１０ａにて構成されており、この壁面１０ａが下側ディフューザに相当する。
【００３３】
また、吹出口３の内部であって、吹出口３の前面側端部側には、ルーバ１２が設けられている。ルーバ１２は、空調機として必要な風の分布を変更するものである。スタビライザ９の下面に形成された湾曲部９ｄは、ルーバ１２の回動範囲の逃げ部となっている。
【００３４】
次に、空気調和機１００の各部のサイズについて説明する。図３は、図２の（ａ）に対応する縦断面図であり、要部の寸法を示している。図３に示すように、空気調和機１００は、以下に示す条件１−４を満足している。
【００３５】
条件１：本体１の高さ寸法をＨ、クロスフローファン８のファン外径をＦとすると、ＨとＦの関係がＨ／Ｆ＝２．４５未満である。
【００３６】
条件２：縦断面視において、スタビライザ９の舌部９ａと平面部９ｂとの境界（円弧状部９ｃ）が、吹出口３の背面側端部３ａよりも本体１の前面１ａ側に位置している。
【００３７】
条件３：風向板４における上流側端部と下流側端部との直線距離Ａが、吹出側風路Ｒ２の上側ディフューザの上流側端部から下流側端部までの直線距離Ｂの８０％以上である。換言すると、直線距離Ａが、スタビライザ９の平面部９ｂの上流側端部から吹出口３の前面側端部までの直線距離Ｂの８０％以上である。上流下流は、風の流れ方向に対する上流下流である。
【００３８】
条件４：風向板４の直線距離Ａがクロスフローファン８のファン外径Ｆよりも大きい。
【００３９】
ここで、本体１の高さ寸法Ｈは、本体１の上面１ｂと下面１ｄとの間隔の最大値である。図３の例ではＨ＝２５０ｍｍである。直線距離Ｂは、スタビライザ９における円弧状部９ｃと平面部９ｂとの境界Ｐ１である上流側端部から、吹出口３の前面側端部である本体１の前面１ａに達する吹出端辺Ｐ２までの距離である。図３の例ではＢ＝１４３ｍｍである。風向板４の直線距離Ａは、風向板４の長手方向に沿った両側２辺の離間距離である。図３の例ではＡ＝１４１ｍｍである。クロスフローファン８のファン外径Ｆは、羽根車８ａの羽根外周先端を図った最外径である。図３の例ではＦ＝１０４ｍｍである。
【００４０】
また、平面部９ｂの平面を延長した線Ｌ１と、境界Ｐ１および吹出端辺Ｐ２とを結んだ線を延長した線Ｌ２が成す角θは、０＜θ＜１７°の範囲である。図３の例ではθ＝８.２２度である。この角度θは、部屋の天井に向かって空気を送り、天井より壁面へと空気を流すコアンダ効果を考慮した空気の流れを生み出すための角度である。条件３における直線距離Ｂは、水平方向に風を吹き出すことが可能な範囲で、天井に向けた風も作り出すことができる、角度θが０＜θ＜１７°の範囲の上側ディフューザの数値である。
【００４１】
このような構成によれば、次のような作用が得られる。条件１は、本体１の下部の寸法を短くする必要が出てくる条件である。つまり、本体１の高さ寸法Ｈが制限されるために、リアガイダ１０の下部の寸法が短くなり、クロスフローファン８の径寸法に合った下側ディフューザの長さを確保できなくなる条件である。Ｈ／Ｆの値が小さくなるほど、クロスフローファン８のファン外径が本体１の高さ寸法に近づくこととなり、本体１の高さ寸法Ｈを同じとした場合、数値が小さいほどファン外径Ｆが大きくなる。
【００４２】
条件２は、本体１の下部の寸法が短くなっていることを示す条件である。本体１の下部の寸法を短くすることで、リアガイダ１０の下部の寸法も短くなってしまい、下側ディフューザの長さを確保できなくなる。吹出口３の背面側端部３ａは、下側ディフューザの下流側端部であり、下側ディフューザの下流側端部が、スタビライザ９の舌部９ａと平面部９ｂとの境界（円弧状部９ｃ）に達しない構成では、サージング現象（バサバサとした音、逆吸込み等）等が起こり易くなる。
【００４３】
つまり、上記条件１，２は、製品サイズを維持してクロスフローファン８を大型化した条件である。これらの条件を満足するだけでは、クロスフローファン８の径寸法を大きくしたために、下側ディフューザの長さが短くなり、送風性能が低下する。
【００４４】
そこで、上記構成によれば、条件１，２に加えて、条件３を有し、１枚構成の風向板４の上流側端部と下流側端部との直線距離Ａを、上側ディフューザの上流側端部から下流側端部までの直線距離Ｂの８０％以上としている。これにより、条件１，２を満たした下側ディフューザが短い構成であっても、風の流れ方向に十分な長さを有する風向板４によって、下側ディフューザが短縮されたことによる不具合を補って、送風性能の低下を抑制することができる。
【００４５】
本願発明者が、条件２を満足した状態で、風向板４の長さを変えて同一風量時の消費電力を調べたところ、以下のような結果が得られた。
・上側ディフューザの長さに対し風向板４の長さを１０％としたところ消費電力が約３割悪化した。
・同長さを５０％としたところ消費電力が約１割悪化した。
・同長さを８０％としたところ消費電力が約３％割悪化した。
・同長さを９０％としたところ消費電力の悪化は約０〜１％であった。
【００４６】
これらの結果から分かるように、下側ディフューザとして機能する風向板４の長さが短くなるにつれて送風性能は徐々に悪化する。そして、上側ディフューザの長さに対し風向板４の長さが８０％を切ると極端に悪くなる。このような結果を踏まえて、上記条件３を設定している。条件３を満足することで、本体１の下部の寸法が短くなった構成であっても、送風性能の低下を抑制することができる。ここで、より好ましくは、直線距離Ａを直線距離Ｂの９０％以上とすることである（条件３’）。条件３’を満足することで、送風性能の低下を確実に抑制することができる。特に、リアガイダ１０の下部が殆ど下側ディフューザとして機能しないまでに本体１の下部の寸法が短くなった構成であっても、送風性能の低下を抑制することができる。
【００４７】
さらに、本実施の形態１では、より好ましい構成として、条件３に加えて条件４を有しており、風向板４の直線距離Ａをクロスフローファン８のファン外径Ｆよりも大きくしている。クロスフローファン８で作る出される風量はクロスフローファン８のファンの外径Ｆに依存し、外径Ｆが大きくなるほど多くなる。条件１，２，３を満たした構成であっても、風向板４の直線距離Ａがクロスフローファン８のファンの外径Ｆよりも小さい構成では、クロスフローファン８で作られた空気を部屋の所望する方向に届けることができないことがある。条件４を含めて満足することで、作り出された風を、風向板４にて部屋の所望する方向に行き渡らせることができる。
【００４８】
以上のように、本実施の形態１における空気調和機１００においては、条件１−４を満足していることで、本体を大型化することなくクロスフローファンを大型化でき、しかも送風性能の低下も抑えることができる。また、従来製品と同サイズのクロスフローファン８を用いるのであれば、本体１を小さくして製品の小サイズ化を図ることができる。
【００４９】
〔実施の形態２〕
本発明の他の実施形態について、以下に説明する。なお、説明の便宜上、上記実施形態にて説明した部材と同じ機能を有する部材については、同じ符号を付記し、その説明を繰り返さない。
【００５０】
実施の形態１における空気調和機１００は、条件１，２において条件３，４を満足する構成であった。これに対し、実施の形態１における空気調和機は、条件１，２において条件３だけを満足し、条件４については満足しない構成である。
【００５１】
このような構成でも、本体１の下部の寸法を短くすることで下側ディフューザの長さが短くなってしまったことによる不具合を補って、送風性能の低下を抑制することができる。
【００５２】
なお、条件１，２において条件４だけを満足し、条件３については満足しない構成とすることもできる。このような構成では、条件１，２を満たした下側ディフューザが短い構成において、クロスフローファン８で作られた空気を室内の所望する方向に届けることができる。
【００５３】
〔実施の形態３〕
本発明の他の実施形態について、以下に説明する。なお、説明の便宜上、上記実施形態にて説明した部材と同じ機能を有する部材については、同じ符号を付記し、その説明を繰り返さない。
【００５４】
図４は、実施の形態１、２における空気調和機１００の変形例を示す図である。図４の（ａ）は、Ｈ＝２５０ｍｍ、Ｂ＝１４３ｍｍ、Ａ＝１４１ｍｍ、Ｆ＝１０４ｍｍとした、図３で例示した一構成例の模式図である。図４の（ｂ）は、本体１の寸法はそのまま維持して、クロスフローファン８のファン外径Ｆを１５％アップした構成例の模式図である。図４の（ｂ）の例では、Ｈ＝２５０ｍｍに対し、Ｆ＝１１７ｍｍのクロスフローファン８が設置されている。図４の（ｂ）に示すように、製品サイズを維持してクロスフローファン８を大きくすることで、リアガイダ１０の下部の寸法がさらに短くなり下側ディフューザはより一層短くなる。しかしながら、その分を上側ディフューザＤの直線距離Ｂに対して十分に長い直線距離Ａを有する風向板４を用いることで、送風性能の低下を抑制することができる。図４の（ｂ）中の破線は、従来構成の空気調和機において、ファン径Ｆ１１７ｍｍのクロスフローファン８の搭載に適した本体１’を示している。
【００５５】
図４の（ｃ）は、クロスフローファン８の寸法はそのまま維持して、本体１の下部の寸法を短くした構成例の模式図である。図４の（ｃ）に示すように、クロスフローファン８の径を維持して本体１’’の高さ寸法をさらに小さくすることで、リアガイダ１０の下部の寸法がさらに短くなり側ディフューザはより一層短くなる。しかしながら、その分を上側ディフューザＤの直線距離Ｂに対して十分に長い直線距離Ａを有する風向板４を用いることで、送風性能の低下を補うことができる。図４の（ｃ）中、破線は、図４の（ａ）の一構成例の本体１を示している。
【００５６】
〔まとめ〕
本発明の態様１に係る空気調和機１００は、上部に吸込口２を有し下部に吹出口３を有する本体１と、前記吸込口２と前記吹出口３とを連通する風路と、前記風路に配された熱交換器７およびクロスフローファン８と、前記クロスフローファン８の周囲に配されたスタビライザ９およびリアガイダ１０とを備える空気調和機において、前記吹出口３の端部側であって前記本体１の背面側の端部側に回動可能に取り付けられた、閉状態で前記吹出口３を塞ぎ、開状態で風の向きを変える風向板４を備え、前記本体１の高さ寸法をＨ、前記クロスフローファン８のファン外径をＦとすると、Ｈ／Ｆが２．４５未満であり、前記スタビライザ９における舌部９ａと該舌部９ａありも下側の平面部９ｂとの境界部分が、縦断面視において前記吹出口３の前記背面側の端部よりも前記本体１の前面側に位置し、前記風向板４における、風の流れ方向の上流側端部から下流側端部の直線距離Ａが、前記スタビライザ９における前記平面部９ｂの上流側端部から前記吹出口３の前記前面側の端部までの直線距離Ｂの８０％以上であることを特徴とする。
【００５７】
上記構成によれば、本体の高さ寸法をＨとクロスフローファン８のファン外径をＦとがＨ／Ｆ＝２．４５未満であり（条件１）、かつ、スタビライザ９における舌部９ａと平面部９ｂとの境界部分が、縦断面視において吹出口３の背面側の端部よりも本体１の前面側に位置している（条件２）。このような条件１，２は、製品サイズを維持してクロスフローファン８を大型化した条件である。これらの条件を満足するだけでは、クロスフローファン８の径寸法を大きくしたために、下側ディフューザの長さが短くなり、送風性能が低下する。
【００５８】
そこで、上記構成によれば、条件１，２に加えて、風向板４の上流側端部と下流側端部との直線距離Ａを、スタビライザ９における平面部９ｂの上流側端部から吹出口３の前面側の端部までの直線距離Ｂの８０％以上とする（条件３）を有している。これにより、条件１，２を満たした下側ディフューザが短い構成であっても、風の流れ方向に十分な長さを有する風向板４によって、下側ディフューザが短縮されたことによる不具合を補って、送風性能の低下を抑制することができる。
【００５９】
その結果、本体１を大型化することなくクロスフローファン８を大型化でき、しかも送風性能の低下も抑えることができる空気調和機１００を実現できる。
【００６０】
本発明の態様２に係る空気調和機１００は、上記態様１において、前記風向板４における直線距離Ａが前記直線距離Ｂの９０％以上である構成である。
【００６１】
上記構成によれば、風向板４における直線距離Ａが直線距離Ｂの９０％以上（条件３’）であるので、送風性能の低下を確実に抑制することができる。特に、リアガイダ１０の下部が殆ど下側ディフューザとして機能しないまでに、本体１の下部の寸法が短くなった構成であっても、送風性能の低下を抑制することができる。
【００６２】
本発明の態様３に係る空気調和機１００は、上記態様１、２において、前記風向板４における直線距離Ａが前記クロスフローファン８のファン外径Ｆよりも大きい構成である。
【００６３】
上記構成によれば、さらに、風向板４における直線距離Ａが前記クロスフローファン８のファン外径Ｆよりも大きい（条件４）を有している。これにより、クロスフローファン８で作り出された風を、風向板４にて部屋の所望する方向に行き渡らせることができるといった効果を併せて奏する。
【００６４】
本発明の態様４に係る空気調和機１００は、上記態様１−３において、前記本体１の高さ寸法Ｈが２５０ｍｍ以下であり、前記クロスフローファン８のファン外径Ｆが１０４ｍｍ以上である構成である。
【００６５】
上記構成によれば、本体１サイズに対して大型のクロスフローファン８を備え、送風性能の低下も抑えられた空気調和機１００を容易に実現することができる。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６７】
１  本体
２  吸込口
３  吹出口
３ａ  下端部
４  風向板
６  樹脂パネル
６ａ  延設部
７  熱交換器
８  クロスフローファン
８ａ  羽根車
９  スタビライザ
９ａ  舌部
９ｂ、９ｅ  平面部
９ｃ  円弧状部
９ｄ  湾曲部
１０  リアガイダ
１０ａ  壁面
１２  ルーバ
１００  空気調和機
【図１】
2019155664.tif 000003
【図２】
2019155664.tif 000004
【図３】
2019155664.tif 000005
【図４】
2019155664.tif 000006
【国際調査報告】
2019155664.tif 000007
2019155664.tif 000008